(57)【要約】      （修正有）【課題】通常のバッグとして荷物を収容でき、特に姿勢が変わりやすい天地無用ではない荷物を収容する際には姿勢が変わらないような工夫のあるバッグを提供する。【解決手段】バッグ１は、上方に開口する開口部４が形成された柔軟なバッグ本体を有し、バッグ本体の上部位置には持ち手６が配設され、バッグ本体の外側で開口部４の長手方向の両端位置下方の対向した位置には一対の第１の紐７の一端側が固着されている。バッグ本体のそれぞれ第１の紐７の固着された一端側の上方位置には環状部を有する紐通し９が形成され、第１の紐７はそれぞれ近い側の紐通し９にその他端側から挿通され、第１の紐７を他端側から引き絞ることによって紐通し９よりも下方側のバッグ本体の第１の紐７寄り領域が紐通し９方向に持ち上げられて、バッグ本体の底領域を拡張させることが可能となっている。【選択図】図４
0003230686.tif 000002
【実用新案登録請求の範囲】
【請求項１】
上方に開口する開口部が形成された柔軟なバッグ本体を有し、
前記バッグ本体の上部位置には持ち手が配設され、
前記バッグ本体の外側かつ下方の対向した位置には一対の紐部材の一端側が固着されるとともに、前記バッグ本体のそれぞれの前記紐部材の固着された一端側の上方位置には環状部を有する支点が形成され、
前記紐部材はそれぞれ近い側の前記環状部にその他端側から挿通されており、前記紐部材を他端側から引き絞ることによって前記支点よりも下方側の前記バッグ本体の前記紐部材寄り領域が前記支点方向に持ち上げられて、前記バッグ本体の底領域を拡張させることが可能となっていることを特徴とするバッグ。
【請求項２】
前記紐部材は前記環状部に他端側を挿通した状態で前記紐部材が前記環状部から脱落しないように保持手段によって保持されていることを特徴とする請求項１に記載のバッグ。
【請求項３】
一対の前記紐部材を引き絞って前記バッグ本体の前記紐部材寄り領域を前記支点方向に持ち上げた際に、一対の前記紐部材は互いを結び合わせることができる長さを有していることを特徴とする請求項１又は２に記載のバッグ。
【請求項４】
一対の前記紐部材の一端側は前記バッグ本体の底又は底寄りの対向した位置に固着されていることを特徴とする請求項１〜３のいずれに記載のバッグ。
【請求項５】
一対の前記紐部材の一端側は前記バッグ本体の前記開口部の長手方向の両端の対向した位置に固着されていることを特徴とする請求項１〜４のいずれかに記載のバッグ。
【請求項６】
前記バッグ本体の前記開口部の長手方向中央であって前記バッグ本体の上部位置には一対の第２の紐部材が配設されていることを特徴とする請求項５に記載のバッグ。
【考案の詳細な説明】
【技術分野】
【０００１】
本考案は、荷物を収容して持ち運ぶために使用されるバッグに関するものである。
【背景技術】
【０００２】
従来から荷物を収容して運搬するために、上方が開口された布や柔らかな革等で構成された持ち手のあるバッグ本体を有するバッグがある。このようなバッグの一例を特許文献１に示す。特許文献１はトートバッグのような例である。
このようなバッグに荷物を収容した際に、ユーザーがそのままバッグの持ち手を持って徒歩で移動すると、運搬中の振動でバッグの壁面に押された荷物が当初にバッグ内に配置した状態から、もっとも安定性がよい状態に姿勢をかえてしまうことがある。
例えば図１０（ａ）に示すように、バッグ５０内に扁平な形状の荷物５１を当初は幅広の面が水平になるように置いたとする。バッグ５０の底に十分なマチがあればともかく、このバッグ５０のようにマチがなかったり、マチの面積が十分確保されていないようなモデルであれば、運搬中の振動によって荷物５１がバッグ５０の壁（いわゆる、前胴と後胴）に押動されて次第に傾き、ついには図１０（ｂ）のように荷物５１が立ち上がってしまうことがある。
【先行技術文献】
【特許文献】
【０００３】
【特許文献１】特開２０１４−１６１５５９号公報
【考案の概要】
【考案が解決しようとする課題】
【０００４】
荷物５１がいわゆる天地無用であればよいが、天地無用ではない、例えばプラスチック容器にパッキングされた持ち帰り用の弁当などであれば傾くことで内容物がこぼれてしまうため、上記のように姿勢が変わってしまうことは許されない。また、壊れやすい荷物でも同様である。そのため、従来ではある荷物を入れられるだけの十分なスペースがあるバッグを持っていても、それを使用することができない状況があった。
そのため、従来と同様にバッグとして荷物を収容でき、特に姿勢が変わりやすい天地無用ではない荷物を収容しても姿勢が変わらないような工夫のあるバッグが求められていた。
【課題を解決するための手段】
【０００５】
上記の目的を達成するための第１の手段として、上方に開口する開口部が形成された柔軟なバッグ本体を有し、前記バッグ本体の上部位置には持ち手が配設され、前記バッグ本体の外側かつ下方の対向した位置には一対の紐部材の一端側が固着されるとともに、前記バッグ本体のそれぞれの前記紐部材の固着された一端側の上方位置には環状部を有する支点が形成され、前記紐部材はそれぞれ近い側の前記環状部にその他端側から挿通されており、前記紐部材を他端側から引き絞ることによって前記支点よりも下方側の前記バッグ本体の前記紐部材寄り領域が前記支点方向に持ち上げられて、前記バッグ本体の底領域を拡張させることが可能となっているようにした。
支点よりも下方側のバッグ本体の紐部材寄り領域を支点方向に持ち上げて、バッグ本体の底領域を拡張させる、つまり紐部材によってバッグ本体を支点方向に持ち上げることによって、支点の下側のバッグ本体の壁（いわゆる、前胴と後胴）が畳まれる（あるいは折れ曲がる）ことによって、バッグ本体の壁が底部の一部となって広がり、底部に大きなマチが形成されることなる。この底部にマチが大きく形成されることだけでも底部に載置された荷物の姿勢は安定化するが、引き絞ることで対向する一対の紐が結び合わせることができる程度に先端側が延出されることとなるため、紐をそのまま開口部位置で結び合わせることでバッグ本体の持ち上げられた部分が戻ることがなくなる。さらに紐で結ぶことでバッグ本体の壁を荷物の上に被せて周囲から荷物を包囲することができるため、荷物はバッグ内でしっかりと固定されることとなる。
これによって、姿勢が変わりやすい荷物をバッグ内に収容する際に、バッグ本体の底領域を拡張させることで、底面に荷物の底部を密着させ、バッグ本体の壁からの押動力を弱めるとともに、その状態で引き絞った一対の紐部材を結ぶことで荷物を固定することができることとなるため、姿勢が変わりやすい荷物の姿勢を変えずに運搬することができる。また、そのような配慮の必要がない荷物であれば、特に紐部材を引き絞って底領域を拡張させることなく通常の態様でバッグを使用することができる。
【０００６】
「柔軟なバッグ本体」は、折り曲げたり巻き込んだりが容易にできる素材から構成される。例えば、綿・化繊・毛・麻・木の皮等、薄い革、薄いシート状のプラスチック等を素材とした布や糸等を縫製したり編んだりしたもの、あるいはこれらの組み合わせたものがよい。これら以外でも柔軟な素材であれば使用可能である。
「環状部を有する支点」は、支点自体が環状に構成されていても、環状の形態を有するものがバッグ本体に固着されていてもよい。例えば、帯状の布がバッグ本体にループを形成するように縫製されていてもよく、キーホルダー状にリングがバッグ本体に金具で留められていてもよい。支点は紐部材を他端側から引き絞る際に持ち上げられたバッグ本体がそれ以上上方に持ち上げられない基準となる位置となる。
「紐部材はそれぞれ近い側の前記環状部にその他端側から挿通され」とは、それぞれの紐部材の固着されている一端の上方に形成された支柱の環状部に紐部材が通されるという意味である。支点の環状部に紐部材が挿通されているため、紐部材を引き絞ると環状部よりも下位置の紐部材はバッグ本体から離れることなく環状部をくぐってバッグ本体を支点方向に持ち上げていく。環状部は必ずしも紐部材の固着されている一端の真上にないといけないわけではない。多少の真上方向に対するずれは許容される。
【０００７】
第２の手段では、前記紐部材は前記環状部に他端側を挿通した状態で前記紐部材が前記環状部から脱落しないように保持手段によって保持されているようにした。
保持手段がなく一端だけで固定されていると、紐部材が垂れ下がってしまうことになって、邪魔であり、バッグの見栄えも悪くなるからである。また、紐部材をそのまま開口部からバック内に先端寄りを収容したり、紐部材をそのまま環状部に結びつけてもよいが、そのような対応はバッグ全体を見ると見栄えが悪くなるためできれば保持手段があるほうがよい。保持手段は、例えば、スナップボタンや面ファスナーを使用して紐部材をリング状の部分を作って環状部に交差させて着脱させるようにしたり、環状部に干渉するトグル様の部材を紐部材に固着したり、抜け落ちないように環状部の径口よりも大きな部材を紐部材の先端に取り付けたりすることがよい。
第３の手段では、一対の前記紐部材を引き絞って前記バッグ本体の前記紐部材寄り領域を前記支点方向に持ち上げた際に、一対の前記紐部材は互いを結び合わせることができる長さを有しているようにした。
これによって、引き絞った一対の紐部材を相互に結んで引っ張り分が戻らないように保持することができ、またそのように結ぶことで姿勢が変わりやすい荷物を固定することができる。
【０００８】
第４の手段では、一対の前記紐部材の一端側は前記バッグ本体の前記開口部の長手方向の両端位置に固着されているようにした。
バッグ本体の開口部の長手方向の端を持ち上げることとなるため、バッグ本体の壁がその持ち上げに追随して広がりやすくなるからである。また、バッグ本体の開口部の長手方向に紐部材や支点が配置されるため、これらが邪魔になりにくくバッグの補助部材として収まりがよい。
第５の手段では、一対の前記紐部材の一端側は前記バッグ本体の底又は底寄りの対向した位置に固着されているようにした。
紐部材の一端（下端）の固定位置はバッグ本体下方の対向した位置であることが必要であるが、特にバッグ本体の底又は底寄りであると、バッグ本体の上方領域を荷物の包囲のために十分確保でき、バッグ本体の下方領域がデッドスペースにならずによい。
第６の手段では、前記バッグ本体の前記開口部の長手方向中央であって前記バッグ本体の上部位置には一対の第２の紐部材が配設されているようにした。
これによって紐部材（第１の紐部材）に対して交差するように第２の紐部材が配置されるため、これらの紐によって風呂敷のように縦横に紐で縛って、よりしっかりとバッグ内の荷物を固定することができる。
本願考案は以下の実施の形態に記載の構成に限定されない。各実施の形態や実施例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または分割出願等において権利取得する意思を有する。
【考案の効果】
【０００９】
本考案では、姿勢が変わりやすい荷物をバッグ内に収容する際に、バッグ本体の底領域を拡張させることで、底面に荷物の底部を密着させ、バッグ本体の壁からの押動力を弱めるとともに、その状態で引き絞った一対の紐部材を結ぶことで荷物を固定することができることとなるため、姿勢が変わりやすい荷物の姿勢を変えずに運搬することができる。また、そのような配慮の必要がない荷物であれば、特に紐部材を引き絞って底領域を拡張させることなく通常の態様でバッグを使用することができる。
【図面の簡単な説明】
【００１０】
【図１】本考案の実施の形態のバッグの正面図。
【図２】同じバッグの紐を引き絞っている途中の状態の正面図。
【図３】同じバッグの側面図。
【図４】同じバッグの紐をもっとも引き絞った状態の正面図。
【図５】図４の状態のバッグの平面図。
【図６】図５の状態のバッグの底領域上に弁当容器を載置した状態の平面図。
【図７】図６の状態から第２の紐を結んだ状態の平面図。
【図８】図７の状態から第１の紐を結んだ状態の平面図。
【図９】バッグ本体の布に包囲されて姿勢が安定した弁当容器を持ち上げた状態を説明する説明図。
【図１０】従来のバッグに姿勢が変わりやすい荷物を収容した際の姿勢の変わりやすさを説明するための図であって（ａ）は姿勢が変わる前の説明図、（ｂ）は姿勢が変わってしまった状態の説明図。
【考案を実施するための形態】
【００１１】
以下、本考案のバッグを具体化した実施の形態を図面に基づいて説明する。
図１及び図３に示すように、トートバッグ１は２枚の長方形形状の柔軟な布製の前胴部２と後胴部３とを両側及び下方の縁に沿って縫製することで構成される上方に開口部４が形成された横長のバッグ本体５を有している。本実施の形態では一例として縦・横は３３×５５ｃｍ程度に構成されている。尚、前胴部２と後胴部３には実際には縁の折り返しや補強等のバッグに施される公知の縫製処理がなされているが、本考案とは直接関係がないため図示では省略している。前胴部２と後胴部３の上端にはそれぞれループ状となるように両端が縫製によって固着された持ち手６が配設されている。バッグ本体５の長手方向（つまり図１の左右方向、以下左右方向とは図１における左右方向をいう）において、底部と側部との交差する角位置には一対の第１の紐７の下端が縫製によって固着されている。第１の紐７は布を重ねて縫製した柔軟な帯状の扁平体である。第１の紐７はバッグ本体５の高さ（縦方向長さ）よりも若干長く（５ｃｍ程度）構成されている。第１の紐７の外側となる面の上端近傍と上端から１７ｃｍほど下がった位置、つまり第１の紐７の上方側の離間した位置には凹凸関係で連結される保持手段としての一対のスナップボタン８Ａ、８Ｂが取り付けられている。
【００１２】
第１の紐７の下端を縫製した位置の上方であってバッグ本体５の左右方向の縁部にはループ状に縫製された支点としての紐通し９が形成されている。紐通し９は第１の紐７と同様に布を重ねて縫製することで形成された布部材である。第１の紐７の先端（つまり上端）側は紐通し９の下側から紐通し９に挿通され、紐通し９上方に延出されている。第１の紐７が紐通し９に挿通された状態でスナップボタン８Ａ、８Ｂは紐通し９の上下位置に配置される。通常の使用態様においては、第１の紐７は、紐通し９に挿通された状態で先端側が折り曲げら、スナップボタン８Ａ、８Ｂが連結されることで紐通し９に吊り下げ状に括り付けられて配置されることとなる。
前胴部２と後胴部３の上端位置、つまり開口部４位置には長手方向中央には一対の第２の紐１０の一端が縫製によって固着されている。
【００１３】
次にこのように構成されたトートバッグ１の使用方法について説明する。
まず、ユーザーが通常の態様でバッグを使用する場合には、図１及び図３のような通常の形態で開口部４を開いて荷物を出し入れし、荷物を運搬する場合には持ち手６を持って移動する。
一方、姿勢が変わりやすかったり、天地無用ではない荷物を入れて運搬する場合には次のようにする。図２に示すように、スナップボタン８Ａ、８Ｂの連結を解除し、左右それぞれの第１の紐７を引き絞る。すると紐通し９を支点として図２のように第１の紐７の下端が連結された位置が持ち上げられ、それにつれて紐通し９よりも下方側のバッグ本体５（つまり、前胴部２と後胴部３の）の左右両側が持ち上げられていく。最終的に図４〜図６のように第１の紐７の下端が紐通し９に接する位置までバッグ本体５を持ち上げることで、それ以上第１の紐７は上動できなくなる。この段階ではバッグ本体５は全体として船底のように中央が幅広で左右に向かって徐々に窄まった形状の拡張された底領域Ｕを有することとなる。また底領域Ｕは当初の底部分が上方に持ち上げられてしまっているため、壁よりも底の方が広い安定した浅い形状となる。また、壁も底領域Ｕからなだらかな曲面で接続されることなる。そして、ここで図６に示すように天地無用ではない荷物、例えばプラスチック容器にパッキングされた持ち帰り用の弁当容器１１を底領域Ｕ上に載置する。そして、図７に示すように、第２の紐１０を縛り、次いでその上から引き絞った状態の第１の紐７を第２の紐１０と交差するように結ぶ。これによって、第１の紐７が戻らないため、底領域Ｕの形状は保たれる。また、第１の紐７と第２の紐１０を結ぶことでバッグ本体５の上方側の布によって弁当容器１１はバッグ本体５の布に包囲されて姿勢は安定する。そして、図９に示すようにユーザーは持ち手６を持って移動することができる。
【００１４】
このように構成されたトートバッグ１では次のような効果が奏される。
（１）姿勢が変わりやすかったり、天地無用ではない弁当容器１１を入れて姿勢を保ちながら運搬することができるようになる。
（２）第１の紐７とこれと交差する第２の紐１０で四方から弁当容器１１を包囲するため、安定性がよい。また、第１の紐７を結ぶことができるため（つまり、互いに結ぶことができる長さがあるため）、第１の紐７の下端を紐通し９に接する位置で保持させることができる。
【００１５】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・バッグとしてトートバッグ１ではない、例えばもっと小型のバッグや蓋付きのバッグ、あるいは側面にマチのあるバッグ等に適用してもよい。
・トートバッグ１のサイズやデザインや材質について上記は一例である。使用する布の形状や縫製位置は上記以外でもよい。
・第１の紐７と第２の紐１０の形状や材質は一例である。
・第１の紐７を通す環状部として上記では支点でもある紐通し９を例に挙げたが、例えばリング状のキーホルダーのような環状部をバッグ本体５に固定してもよい。また、紐通し９の形態も上記は一例である。取り付け位置や形状は適宜変更可能である。
・第１の紐７をバッグ本体５の側面で保持するために、スナップボタン８Ａ、８Ｂを使用して紐通し９に吊り下げるようにしたが、要は第１の紐７が脱落しなければよい。例えば第１の紐７の先端にトグルを取り付けて第１の紐７にスリットを形成し、スリットにトグルを通してループ状にした第１の紐７を紐通し９に吊り下げてもよい。スナップボタン８Ａ、８Ｂの代わりに面ファスナーを使用してもよい。また、紐通し９に挿通された第１の紐７の先端側に紐通し９のループ径口よりも大きな部材を取り付けることで、紐通し９から脱落しないようにしてもよい。
・第１の紐７の取り付け位置は上記実施の形態のように、必ずしもバッグ本体５の長手方向の側部でなくともよいし、底部と側部との交差する角位置でなくともよい。
・その他、本考案の趣旨を逸脱しない態様で実施することは自由である。
【符号の説明】
【００１６】
１…バッグとしてのトートバッグ、４…開口部、５…バッグ本体、６…持ち手、７…紐部材としての第１の紐、９…支点及び環状部としての紐通し、Ｕ…底領域。
【図１】
0003230686.tif 000003
【図２】
0003230686.tif 000004
【図３】
0003230686.tif 000005
【図４】
0003230686.tif 000006
【図５】
0003230686.tif 000007
【図６】
0003230686.tif 000008
【図７】
0003230686.tif 000009
【図８】
0003230686.tif 000010
【図９】
0003230686.tif 000011
【図１０】
0003230686.tif 000012
【手続補正書】
【提出日】令和2年11月11日(2020.11.11)
【手続補正１】
【補正対象書類名】実用新案登録請求の範囲
【補正対象項目名】全文
【補正方法】変更
【補正の内容】
【実用新案登録請求の範囲】
【請求項１】
上方に開口する開口部が形成された柔軟なバッグ本体を有し、
前記バッグ本体の上部位置には持ち手が配設され、
前記バッグ本体の外側かつ下方の対向した位置には一対の紐部材の一端側が固着されるとともに、前記バッグ本体のそれぞれの前記紐部材の固着された一端側の上方位置には環状部を有する支点が形成され、
前記紐部材はそれぞれ近い側の前記環状部にその他端側から挿通されており、前記紐部材を他端側から引き絞ることによって前記支点よりも下方側の前記バッグ本体の前記紐部材寄り領域が前記支点方向に持ち上げられて、前記バッグ本体の底領域を拡張させることが可能となっていることを特徴とするバッグ。
【請求項２】
前記紐部材は、前記環状部に他端側を挿通した状態で前記紐部材が前記環状部から脱落しないように保持手段によって保持されていることを特徴とする請求項１に記載のバッグ。
【請求項３】
一対の前記紐部材を引き絞って前記バッグ本体の前記紐部材寄り領域を前記支点方向に持ち上げた際に、一対の前記紐部材は互いを結び合わせることができる長さを有していることを特徴とする請求項１又は２に記載のバッグ。
【請求項４】
一対の前記紐部材の一端側は前記バッグ本体の底又は底寄りの対向した位置に固着されていることを特徴とする請求項１〜３のいずれかに記載のバッグ。
【請求項５】
一対の前記紐部材の一端側は前記バッグ本体の前記開口部の長手方向の両端の対向した位置に固着されていることを特徴とする請求項１〜４のいずれかに記載のバッグ。
【請求項６】
前記バッグ本体の前記開口部の長手方向中央であって前記バッグ本体の上部位置には一対の第２の紐部材が配設されていることを特徴とする請求項５に記載のバッグ。
【手続補正書】
【提出日】令和2年12月4日(2020.12.4)
【手続補正１】
【補正対象書類名】実用新案登録請求の範囲
【補正対象項目名】全文
【補正方法】変更
【補正の内容】
【実用新案登録請求の範囲】
【請求項１】
上方に開口する開口部が形成された柔軟なバッグ本体を有し、
前記バッグ本体の上部位置には持ち手が配設され、
前記バッグ本体の外側かつ下方の対向した位置には一対の紐部材の一端側が固着されるとともに、前記バッグ本体のそれぞれの前記紐部材の固着された一端側の上方位置には環状部を有する支点が形成され、
前記紐部材はそれぞれ近い側の前記環状部にその他端側から引き絞り可能に挿通されており、前記紐部材の固着された一端側は引き絞りによって前記環状部に近接した上動位置に配置可能とされ、前記紐部材の固着された一端側が上動位置に配置された状態で前記バッグ本体の底領域に同底領域の拡張部分が形成されることを特徴とするバッグ。
【請求項２】
前記紐部材は、前記環状部に他端側を挿通した状態で前記紐部材が前記環状部から脱落しないように保持手段によって保持されていることを特徴とする請求項１に記載のバッグ。
【請求項３】
一対の前記紐部材を引き絞って前記バッグ本体の前記紐部材寄り領域を前記支点方向に持ち上げた際に、一対の前記紐部材は互いを結び合わせることができる長さを有していることを特徴とする請求項１又は２に記載のバッグ。
【請求項４】
一対の前記紐部材の一端側は前記バッグ本体の底又は底寄りの対向した位置に固着されていることを特徴とする請求項１〜３のいずれかに記載のバッグ。
【請求項５】
一対の前記紐部材の一端側は前記バッグ本体の前記開口部の長手方向の両端の対向した位置に固着されていることを特徴とする請求項１〜４のいずれかに記載のバッグ。
【請求項６】
前記バッグ本体の前記開口部の長手方向中央であって前記バッグ本体の上部位置には一対の第２の紐部材が配設されていることを特徴とする請求項５に記載のバッグ。